(57)【要約】【課題】  長期間に渡っての経過状況を十分に把握できる診断支援装置を提供する。【解決手段】  診断支援装置は、検査日の異なる複数の検査データを取得する手段と、検査データの抽出条件を設定する手段と、前記設定した抽出条件に従って、前記取得した複数の検査データの中から該当する検査データを抽出する手段と、前記抽出した検査データを並べて表示する手段とを有する。前記設定する手段は、検査データの検査日の間隔に基づいて前記抽出条件を設定する。【選択図】  図１
2020044418.tif 000002
【特許請求の範囲】
【請求項１】
ＯＣＴによって異なる検査日に得られた眼部の複数の断層画像をそれぞれ解析することで得られた複数の検査データの中から、表示部に表示させるために所定の抽出条件で所定数の検査データを抽出する抽出手段と、
前記所定数の検査データに対応する複数の解析マップを時系列に左右方向に並べて前記表示部に表示させ、前記所定数の検査データを含む前記複数の検査データに対応する複数のポイントが時系列に並べられたグラフとして前記複数の解析マップの下側に表示させ、前記所定数の検査データから選択された基準検査データに対応する解析マップを前記複数の解析マップの表示エリアの左右方向における一方の端に表示させ、表示されるスライドバーに対するユーザからの指示に応じて、前記表示される複数の解析マップの少なくとも１つの表示を、他の検査日の検査データに対応する解析マップの表示に変更する表示制御を実行し、ユーザからの指示に応じて、該指示の際に前記表示部に表示されている複数の解析マップを含むデータをレポート形式で出力する制御手段と、を備えることを特徴とする情報処理装置。
【請求項２】
複数の抽出条件のいずれかを前記所定の抽出条件として、ユーザからの指示に応じて選択可能に構成されていることを特徴とする請求項１に記載の情報処理装置。
【請求項３】
前記複数の抽出条件は、最新の検査日から直近の所定数の検査データを前記所定数の検査データとして抽出する条件、最初の検査日から最新の検査日までの検査期間を等期間に分割する検査日に近い検査日に取得された所定数の検査データを前記所定数の検査データとして抽出する条件、および予め個別の間隔で設定されている検査日に近い検査日に取得された所定数の検査データを前記所定数の検査データとして抽出する条件を含むことを特徴とする請求項２に記載の情報処理装置。
【請求項４】
前記抽出手段は、前記所定の抽出条件で前記所定数の検査データが抽出された後に、前記所定の抽出条件を他の抽出条件に、ユーザからの指示に応じて変更可能に構成され、
前記制御手段は、前記所定数の検査データの表示を、前記複数の検査データの中から前記他の抽出条件で抽出された所定数の他の検査データの表示に変更する表示制御を実行することを特徴とする請求項１乃至３のいずれか１項に記載の情報処理装置。
【請求項５】
前記所定数の検査データが抽出された後に、前記表示部に表示された前記複数の解析マップの少なくとも１つを、抽出されていない検査データに対応する解析マップに変更するためのユーザからの指示を受け付ける手段を更に備え、
前記制御手段は、前記受け付けた指示に応じて、前記変更された解析マップを前記表示部に表示させることを特徴とする請求項１乃至４のいずれか１項に記載の情報処理装置。
【請求項６】
前記制御手段は、前記表示部に常時表示する解析マップが新たに選択されると、前記新たに選択された解析マップを常時表示する解析マップとして判別可能に前記表示部に表示させることを特徴とする請求項１乃至５のいずれか１項に記載の情報処理装置。
【請求項７】
前記抽出手段は、最新の検査日から直近の検査日までの期間の内の所定期間の範囲を設定する設定手段を更に備え、
前記抽出手段は、前記設定された所定期間に取得された検査データの中から、前記所定数の検査データを抽出できることを特徴とする請求項１乃至６のいずれか１項に記載の情報処理装置。
【請求項８】
前記所定の抽出条件が、デフォルトとして設定された抽出条件であることを特徴とする請求項１乃至７のいずれか１項に記載の情報処理装置。
【請求項９】
前記制御手段は、更に、前記複数のポイントのいずれかに対するユーザからの指示に応じて、前記表示される複数の解析マップの少なくとも１つの表示を、他の検査日の検査データに対応する解析マップの表示に変更する表示制御を実行することを特徴とする請求項１乃至８のいずれか１項に記載の情報処理装置。
【請求項１０】
前記制御手段は、複数の解析マップを含むデータを所定のフォーマットのレポートとして出力することにより、前記レポート形式で出力することを特徴とする請求項１乃至９のいずれか１項に記載の情報処理装置。
【請求項１１】
ＯＣＴによって異なる検査日に得られた眼部の複数の断層画像をそれぞれ解析することで得られた複数の検査データの中から、表示部に表示させるために所定の抽出条件で所定数の検査データを抽出する工程と、
前記所定数の検査データに対応する複数の解析マップを時系列に左右方向に並べて前記表示部に表示させ、前記所定数の検査データを含む前記複数の検査データに対応する複数のポイントが時系列に並べられたグラフとして前記複数の解析マップの下側に表示させ、前記所定数の検査データから選択された基準検査データに対応する解析マップを前記複数の解析マップの表示エリアの左右方向における一方の端に表示させ、表示されるスライドバーに対するユーザからの指示に応じて、前記表示される複数の解析マップの少なくとも１つの表示を、他の検査日の検査データに対応する解析マップの表示に変更する表示制御を実行し、ユーザからの指示に応じて、該指示の際に前記表示部に表示されている複数の解析マップを含むデータをレポート形式で出力する工程と、を含むことを特徴とする情報処理方法。
【請求項１２】
請求項１１に記載の情報処理方法の各工程をコンピュータに実行させることを特徴とするプログラム。
【発明の詳細な説明】
【技術分野】
【０００１】
本発明は、診断支援装置および方法に関し、特に眼部の画像診断を効率的に行うための技術に関する。
【背景技術】
【０００２】
患者の症状の経過観察を行うために、患者毎に画像等の検査データを記憶しておき、観察に必要な検査データを撮影条件に基づいて検索を行う。そして、その検索された検査データを最新の検査データから時系列順に並べて表示することが従来行われている（特許文献１）。また、表示されている検査データリストの中から所望の検査データを比較元として選択すると、そのデータに関連する、例えば１つ前の検査や、反対の眼のデータが比較先のデータとして自動で選択され、比較元と並列に表示されることが従来行われている。また、複数のデータを手動で選択することにより、それらのデータを時系列順に並べて表示することも行われている（特許文献２）。近年、ＯＣＴ（光コヒーレンス・トモグラフィー）によって撮影された眼底断層画像を解析することにより、網膜層厚や神経線維層厚などを定量化することが可能となってきており、診断のための経過観察は増々重要なものとなってきている。
【先行技術文献】
【特許文献】
【０００３】
【特許文献１】特開２００３−１９１１８
【特許文献２】特開２０００−３００５１８
【発明の概要】
【発明が解決しようとする課題】
【０００４】
治療等の期間が長期となった場合で、その間に多数の検査を実施して多数の検査データが存在するような場合において、最新の検査データの数件のみを表示させて観察したのでは、長期間に渡っての経過状況を十分に把握できないという問題がある。また、長期間での経過状況を把握するために、検査データの間隔をあけて数件を見たいという場合には、大量にある検査データの中から、ユーザが一つずつ手動にて検査日を確認しながら選択する必要があり、手間と時間が掛かかるという問題がある。
【課題を解決するための手段】
【０００５】
上記課題を解決するため、本発明の一態様に係る情報処理装置は、
ＯＣＴによって異なる検査日に得られた眼部の複数の断層画像をそれぞれ解析することで得られた複数の検査データの中から、表示部に表示させるために所定の抽出条件で所定数の検査データを抽出する抽出手段と、
前記所定数の検査データに対応する複数の解析マップを時系列に左右方向に並べて前記表示部に表示させ、前記所定数の検査データを含む前記複数の検査データに対応する複数のポイントが時系列に並べられたグラフとして前記複数の解析マップの下側に表示させ、前記所定数の検査データから選択された基準検査データに対応する解析マップを前記複数の解析マップの表示エリアの左右方向における一方の端に表示させ、表示されるスライドバーに対するユーザからの指示に応じて、前記表示される複数の解析マップの少なくとも１つの表示を、他の検査日の検査データに対応する解析マップの表示に変更する表示制御を実行し、ユーザからの指示に応じて、該指示の際に前記表示部に表示されている複数の解析マップを含むデータをレポート形式で出力する制御手段と、を備えることを特徴とする。
【発明の効果】
【０００６】
長期間での経過状況を容易に把握できるようになる。
【図面の簡単な説明】
【０００７】
【図１】本発明の実施形態に係る診断支援装置の構成を示す図
【図２】本発明の実施形態に係る診断支援装置における処理を示す図
【図３】データの抽出処理を示す図
【図４】データ抽出に係るデータの組合せを示す図
【図５】患者選択画面を示す図
【図６】レポート画面の一例を示す図
【図７】レポート画面の他の一例を示す図
【図８】Select画面を示す図
【図９】レポート画面のさらに他の一例を示す図
【図１０】網膜厚のセクター表示を示す図
【発明を実施するための形態】
【０００８】
以下、図面を参照して、本発明を実施するための最良の実施形態について説明する。図１に、本実施形態の診断支援装置の構成を示す。本診断支援装置は、検査データ取得部１１、検査リスト作成部１２、経過観察用データ抽出部１３、操作入力手段１４、検査リスト表示部１５、記憶部１６、経過観察データ表示部１７から構成される。
【０００９】
なお、以下では、本実施形態に係る診断支援装置と外部装置である撮影装置１０とを組み合わせた構成について説明する。撮影装置１０の例としては、眼科撮影装置の一つであるＯＣＴ（光コヒーレンス・トモグラフィー）撮影装置が挙げられるが、本診断支援装置は眼科撮影装置との組合せに限定されるものではなく、他の診療科の撮影装置との組合せにも応用可能である。
【００１０】
図１において、撮影装置１０にて撮影された複数の画像が、検査データ取得部１１により診断支援装置に取得される。検査日および撮影モード等の撮影条件も画像と合わせて取得される。取得された検査データに基づいて、検査リスト作成部１２にて患者に紐付された検査リストが作成される。検査リストは、検査リスト表示部１５に表示される。検査データおよび検査リストは、記憶部１６に保存される。検査データは、患者の検査を行うたびに取得されて、長期間に渡り多数の時系列データとして保存されていく。
【００１１】
＜実施例１＞
図２に、経過観察を行う際の処理の流れを示す。まず、ステップＳ２０１において、患者の選択を行う。図５に患者選択のための画面を示す。この画面でユーザがタブ５０１の患者タブを選択すると、患者の新規登録、編集、選択等を行うことができる。操作入力手段１４においてユーザが患者ＩＤもしくは患者名を入力すると、検索された患者が患者リスト５０４となって表示される。本例では患者ＩＤで検査した結果が表示され、その中から、ユーザがＩＤ００４の患者を選択した場合を示す。選択された患者の検査データは、記憶部１６から読みだされる。その選択した患者の検査リスト５０５は、検査リスト作成部１２により作成されて、検査リスト表示部１５により、患者画面の右側表示エリアにサムネイル表示される。
【００１２】
図５において、ユーザがタブ５０２の撮影タブを選択すると撮影装置１０での撮影用の画面へ遷移する。撮影画面において、所望の撮影モードにて検査を実施する。上述のように、撮影画像は、検査データ取得部１１より取得されて、検査リスト作成部１２にて検査リストに追加されて、検査データおよび検査リストは記憶部１６に保存される。撮影画面については説明を省略する。
【００１３】
ステップＳ２０２において、ＩＤ００４の患者の経過観察を見るために、ユーザが図５のレポートタブ５０３を選択することによりレポート画面へと遷移する。図６に、レポート画面の一例を示す。本図において、画面上部６０２には患者の情報が、画面左側６０３には検査リストが表示されている。日付順リストとモード順リストの２種類の表示が用意されていて、タブにより選択できる。また、撮影モード毎、左右眼別に分類されてリスト化されている。図６には、モード順リスト６０５を選択した場合を示しており、Macula 3Dと呼ばれる撮影モードで撮影された検査データのリストが左右眼別で時系列に表示されている。図６では、左眼のデータが選択されており、検査数が６個あることが表示され、また各検査のサムネイルがリストで表示されている。この例において、左眼の撮影モードMacula 3Dの最新検査は、2012/6/1であることが分かる。
【００１４】
図６のレポート画面中央から右側６０４には、検査結果や解析結果を表示する表示エリアがあり、Single、Both Eyes、Comparison、Progression、General、3Dの６つの表示モードが用意されている。レポート画面へ遷移した直後は、最新の2012/6/1の検査データ2012/6/1が選択されており、表示モードはSingleとなるように設定してあるものとする。Singleモードは、選択した検査単体のデータを表示するモードであり、表示エリア６０４には解析マップ６０７、主走査の断層画像６０８、副走査の断層画像６０９が表示される。他の検査データを見たい場合には、モード順リスト６０５において、ユーザが操作入力手段１４により選択を変更することにより、表示される検査データを切り替えて見ることが可能である。
【００１５】
ステップＳ２０３において、基準検査データを選択する。ここで、基準検査データとは、経過観察を行いたい検査の中で最新の検査データのことであり、経過観察においては、その検査データより以前に行われた検査データを表示の対象とすることを意味する。図６では、左眼データの2012/6/1の検査サムネイル上にユーザがマウスカーソルを持っていきクリックすることで2012/6/1の検査データを基準検査データに選択した場合を示している。
【００１６】
ステップＳ２０４において、表示モードとして経過観察を選択する。レポート画面において、ユーザがProgressionタブ７０１を選択することにより、表示モードをSingleからProgressionに遷移させる（図７）。Progressionモードは、経過観察のための表示モードである。
【００１７】
ステップＳ２０５において、抽出条件に合致する検査データを抽出する。経過観察用データ抽出部１３は、検査リストのうち抽出対象となっている検査データの中から、所定の抽出条件に合致する検査データを抽出する。抽出条件は、最新４検査を抽出する条件と等間隔４検査を抽出する条件の２条件があるものとする。最新４検査を抽出するとは、基準検査データの直近４検査を抽出することである。基準検査データと直近４検査とで合計５検査が並んで表示される。等間隔４検査を抽出するとは、基準検査データの検査日と、最も古い検査データの検査日との期間を４等分にして、４等分点に最も近い検査データを抽出して、互いの間隔が概ね等間隔となるように検査データを抽出することである。基準検査データと最も古い検査データとの２検査と、等分点となる３検査とで合計５検査が表示される。なお、本実施例では等間隔を用いているが、後述するように、その他の所定間隔を用いることもできる。
【００１８】
Progression画面に遷移したときの抽出条件としては、デフォルトとして最新４検査と設定してあるものとする。その場合においては、2012/6/1の検査データを先頭にしてそれ以前の中で最新４検査が抽出される。デフォルトの抽出条件は設定により変更できる。抽出条件としては、過去に使用した条件を記憶しておき、継続して適用するようにしてもよい。
【００１９】
ステップＳ２０６において、抽出された検査データを表示する。経過観察データ表示部１７は、５つの抽出された検査データを図７の表示エリア７０６に表示する。2012/6/1の基準検査データを右端にして、左側へ時系列順に並べて５個を表示している。表示できる検査数が５個、最新４検査が抽出条件となっているので、2011/2/15のデータは抽出されず、表示されないこととなる。表示エリア７０６には、各検査データの日付７０２と解析マップ７０３、断層画像７０４とグラフ７０５が並列に表示される。解析マップ７０３には、例えば、図１０に示すような、網膜厚を示すセクター表示のマップが表示される。グラフ７０５は、網膜厚マップにおけるセクター中心の値をプロットしたものである。Ｘ軸は年月日で、Ｙ軸は網膜の厚さ[μｍ]を示す。解析マップ、断層画像およびグラフの各表示エリアには、何を表示するかを予め選択して設定できるようにする。
【００２０】
表示方法としては、本例では、表示できる検査数が５個という条件で説明しているが、数に限定はなく、表示サイズによって決めればよく１０個でも良い。また、同時に表示できる数は５個としても、スライドバーを設けて検査を前後に送りながら表示するようにしても良い。また、上下２段の表示構成にして上段に５個、下段に５個という表示するようにしてもよい。さらには、上段に左眼、下段に右眼という左右眼で表示をしてもよい。なお、現在の抽出条件は、抽出条件表示部７０７に表示される。
【００２１】
ステップＳ２０７において、表示された５個の検査データを見て、ユーザが抽出条件を変更するかどうかを判断する。抽出条件を変更する場合には、ステップＳ２０８へ進む。
【００２２】
ステップＳ２０８において、ユーザがSelectボタン７０８を押下する。そうすると、図８（ａ）に示すSelect画面が表示される。このSelect画面には、経過観察の対象となる検査データのみがリストとなって表示されている。Select画面に表示される検査リストには、基準検査データと同じ撮影モードで、かつ、同じ左右眼という条件に合致する検査データのみが全検査データの中から絞り込まれて表示されている。この絞り込み条件は、経過観察という観点で有効なものを対象とするための条件である。ユーザがスライドバー８０５を動かすことで抽出対象の全検査データを確認することができる。また、Select画面内には、抽出条件を選択するために、最新の４検査を選択できるボタン８０１と、等間隔４検査を選択できるボタン８０２が配置されている。
【００２３】
ステップＳ２０９において、ユーザが検査データを手動で選択するかどうかを判断する。手動選択する場合にはステップ２１０へ進み、手動選択しない場合にはステップ２１１へ進む。
【００２４】
ステップＳ２１０において、ユーザがリストから検査データを１つずつ手動で選択する。Select画面内の検査リスト上にて、ユーザが各検査データのサムネイルをマウスでクリックすることで選択と非選択を切替えることができる。図８（ａ）に示すように、選択された検査データが無い状態において、ユーザが見たい検査データを一つずつサムネイル上でクリックして選択する。一度選択した検査データを取り消す場合には、サムネイル上で再度クリックして選択を取り消すことができる。図８（ｂ）に、2012/6/1と、2011/12/8と、2011/2/15の３つを選択した例を示す。
【００２５】
手動選択については、上述の方法の他に、次のような方法も考えられる。まず、図７に示すレポート画面上のグラフ７０５上の各検査データに対応するポイントを、ユーザがマウスカーソル７０９でクリックして選択と非選択を行うようにしても良い。また、同レポート画面上にて、変更したい一つの検査データの日付７０２をマウスカーソル７１０でクリックして選択するようにしても良い。図７においては、2011/5/23の検査データの日付を選択した状態を示している。選択した状態で、マウスのホイールを前後に動かすことで、検査の送り／戻しを可能とするものである。また、マウスのホイールの代わりに、図示しないドロップダウンメニューを表示して、変更可能な候補データとしての2011/2/15が表示されて選択可能となるようにしても良い。また、図７に示すように、検査データの送り／戻しを可能とするボタン７１１を設けても良い。前後に非表示の検査データがある時に限り、送り、もしくは、戻しのボタン７１１が有効となるものである。
【００２６】
ステップＳ２１１において、最新４検査と等間隔４検査のどちらかをユーザが選択する。この抽出条件は一例であり、他の様々な条件を選択できるようにしてもよい。ユーザが等間隔４検査を希望する場合には、図８（ｃ）に示すように、ボタン８０２を押下することで容易に条件を変更できる。押下後、経過観察用データ抽出部１３は、変更された抽出条件に従って、再度抽出を行う（抽出アルゴリズムについては後述する）。抽出された検査データのサムネイルの色が変わり、どの検査データが抽出されたかを確認できる。図８（ｃ）に示すように、太線で囲まれたサムネイルが抽出された検査データであり、2011/12/8の検査データは抽出されていない状態が目視で判別できる。その後、ユーザがボタン８０１を押下することで、最新４検査に条件を再度変更することもできる。
【００２７】
ステップＳ２１２において、抽出された検査データを表示する。ユーザがSelect画面で抽出条件の選択を行い、抽出が完了したらＯＫボタン８０３を押下する。Select画面はクローズして、抽出されたデータが経過観察データ表示部１７に表示される。抽出条件の選択をキャンセルする場合には、ユーザがキャンセルボタン８０４を押下すれば良い。抽出された検査データは、ユーザが印刷ボタン７１２を押下することにより、所定のフォーマットのレポートとして出力される。
【００２８】
次に、ステップＳ２１１において、ユーザが等間隔４検査を選択した場合の抽出アルゴリズムについて、図３と図４を用いて説明する。図３は抽出処理を、図４は検査リストの組合せを示したものである。抽出条件は、抽出対象範囲は基準検査データより以前のもの全て、間隔は等間隔、表示検査数は５個とする。
【００２９】
図４（a）は、検査リストの一例で、2011/2/15のデータが最も古い検査データであり、2012/6/1が最新の検査データであり、合計６件のデータがあることを示している。経過観察の画面上に表示可能な検査データ数は５個という条件において、最古のデータＮｏ．１と最新のデータＮｏ．６は必ず表示されるので、残りの３個を抽出することとなる。
【００３０】
ステップＳ３０１において、等間隔となる日（等間隔日）を計算により求める。全期間は、最新データＮｏ．６と最古データＮｏ．１との日数差であり、４７２日である。表示数５より１を引いた数４で徐算すると、間隔は１１８日と求まる。最新データＮｏ．６の2012/6/1より間隔日数１１８日分前の日を計算すると、等間隔日（１）は2012/2/4となる。等間隔日（１）の2012/2/4より間隔日数１１８日分前の日を計算すると、等間隔日（２）は2011/10/9となる。等間隔日（２）の2011/10/9より間隔日数１１８日分前の日を計算すると、等間隔日（３）は2011/6/13となる。
【００３１】
ステップＳ３０２において、抽出可能な検査データの組合せを全て求める。図４（a）の検査データの中で、データＮｏ．２〜５の４個のデータが組合せの対象である。その４個から３個を取り出す組合せは、４通りであり、図４（ｂ）〜（ｅ）に示す。
【００３２】
ステップＳ３０３において、各組合せの検査データと等間隔日との差を求める。この差は、日付の前か後かで符号を付けず、絶対値とする。図４（ｂ）の組合せ（１）を例にすると、データＮｏ．５の2012/3/2と等間隔日（１）2012/2/4の日数差を求めると、２７日となる。同様に、データＮｏ．４の2011/12/8と等間隔日（２）2011/10/9の日数差は６０日、データＮｏ．３の2011/9/5と等間隔日（３）2011/6/13の日数差は８４日となる。そして、各データの日数差の合計を計算すると１７１日となる。本例では、差の単純和として計算しているが、計算方法は、これに限らず、差の二乗和が最小となる方法などを用いてもよい。
【００３３】
ステップＳ３０４において、日数差の合計が最小となる組合せを求める。各組合せの差の合計値は、組合せ（１）は１７１日、組合せ（２）は１０８日、組合せ（３）は８２日、組合せ（４）は１１３日である。よって、最小となるのは組合せ（３）となる。この組合せ（３）を等間隔となる検査データとして抽出する。
【００３４】
＜実施例２＞
実施例１では検査データの日付の間隔を等間隔としたが、実施例２では等間隔とせず、個別に設定する。以下では、最初の間隔を３か月（９１日）、次の間隔を６か月（１８２日）、さらに次の間隔を１２か月（３６５日）と固定値、もしくは、３か月に対する比率（１：２：４）に設定した場合について説明する。なお、全体の処理フローについては、図２のステップＳ２１１において、等間隔検査が個別間隔検査に置き換えられること以外は実施例１と同じなので、説明は省略する。
【００３５】
図３のステップＳ３０１において、等間隔日（１）（２）（３）の代わりに、個別間隔日（１）（２）（３）を算出する。図４（ａ）の検査データにおいて、最新データＮｏ．６の2012/6/1より間隔日数９１日分前の日を計算すると個別間隔日（１）は2012/3/2となる。同様に、１８２日分前の日と３６５日分前の日を計算すると、個別間隔日（２）は2011/12/2、個別間隔日（３）は2011/6/2となる。次に、ステップＳ３０２において、抽出可能な検査データの組合せを全て求める。そして、ステップＳ３０３において、図４（ｂ）〜（ｅ）の各組合せの検査データと個別間隔日の差を求める。ステップＳ３０４において、差の合計が最小となる組合せを求める。この場合、図４（ｆ）に示す組合せが最小となる。この組合せ（３）を検査データとして抽出する。
【００３６】
＜実施例３＞
実施例１では検査データの日付の間隔を等間隔とし、実施例２では等間隔とせず、個別に設定した。実施例３では、等間隔日あるいは個別間隔日に近い検査データが存在しない（日数差が大きい）場合の処理について説明する。なお、その他の処理フローについては、実施例１、２と同じなので、説明は省略する。
【００３７】
検査データの検査日の組合せには、様々なケースが考えられ、また、間隔の設定次第によっては、ある間隔日には近い検査データが存在しない場合がある。つまり間隔日との日数差が大きい場合がある。一例として、図４（ａ）の検査データにおいて、最初の間隔を１か月（３０日）、次を３か月（９１日）、次を６か月（１８２日）というように、間隔を個別に設定した場合について説明する。この場合、最新データＮｏ．６の2012/6/1より間隔日数３０日分前の日、９１日分前の日、１８２日分前の日を計算すると、個別間隔日（１）は2012/5/2、個別間隔日（２）は2012/3/2、個別間隔日（３）は2011/12/2となる。前述のアルゴリズムによると、図４（ｇ）に示す組合せが最小となる。
【００３８】
しかし、個別間隔日（１）2012/5/2に近い検査データが存在しないために、2012/3/2の検査が間隔日（１）に割り当てられている。2012/3/2の検査は、個別間隔日（２）2012/3/2の方に最も近いデータである。同様に、2011/12/8の検査は、個別間隔日（２）2012/3/2の方に割り当てられているが、個別間隔日（３）2011/12/2に最も近いデータである。このように、適当なデータが存在しないと、間隔と実際の検査日が大きく離れた表示となる場合がある。
【００３９】
これを修正するための一つの方法について説明する。ある間隔日に対して、適当なデータが存在しない場合には、該当するデータが無いものとして表示し、その間隔日をデータ抽出条件から除外する方法である。データが存在しないという判断の一例としては、ある間隔日の前後所定範囲内に検査データが有るかどうかで判断する。範囲は、隣の間隔日との中間までとする。個別間隔日（１）2012/5/2の範囲は、最新の検査日2012/6/1との中間である2012/5/17から個別間隔日（２）2012/3/2との中間である2012/4/1までとなる。
【００４０】
図４（ａ）の検査リストにおいて、2012/5/17から2012/4/1までの範囲でのデータ有無を調べると、存在しないことが分かる。よって、この個別間隔日には、該当するデータが無いものとして扱う。この個別間隔日をデータ抽出条件から除外するので、組合せを求める際にはデータ数が一つ少ない２個での全組合せを求める。次に、個別間隔日（２）（３）との差を求めて合計し、最小となる組合せを求める。これにより、図４（ｈ）の組合せが抽出される。抽出されたデータは、図９に示すように表示される。該当するデータが無い場合には、経過観察画面には、“No Data”９０１を表示する。グラフ上には、マーカーと日付で構成された間隔日表示９０２を表示することで全体における間隔を確認することができる。また、間隔日表示９０２の一つをマウスカーソル９０３で選択して左右にドラッグすることにより、間隔日を移動調整できるようにしてもよい。
【００４１】
＜実施例４＞
実施例１−３では、基準検査データより以前の全範囲を対象としたが、経過観察の対象範囲を指定することで効率よくデータを抽出して見ることが可能となる。指定する方法には以下の方法が考えられる。なお、基準検査データとして最新の検査を選択することは上述のとおりである。なお、その他の処理フローについては、実施例１−３と同じなので、説明は省略する。
【００４２】
基準検査データより所定期間以内とする期間を設定する方法で、例えば、２年以内と設定する。別な方法としては、所定の日を直接設定する方法で、例えば、２０１１年６月１日と設定する。さらに、別な方法としては、検査リストから最も古いとするデータを選択する方法である。図８（ｄ）のSelect画面の検査リストにて、2011/5/23のデータを選択後、右クリックするとメニュー８０６が表示され、「最も古いデータに登録」８０７を選択することで登録される。メニュー８０６の「登録を取り消す」８０９を選択することで登録を取り消すことも可能である。登録されたデータには、表示色を変えて判別ができるようにしてもよい。
【００４３】
＜実施例５＞
実施例５では、経過観察において、常に表示して見たいデータ、キーとなるデータを登録する方法について説明する。なお、その他の処理フローについては、実施例１−４と同じなので、説明は省略する。
【００４４】
上記データを登録するには、検査リストからデータを選択する。図８（ｄ）のSelect画面の検査リストにて、2011/5/23のデータを選択後、右クリックするとメニュー８０６が表示され、「常時表示データに登録」８０８を選択することで登録される。メニュー８０６の「登録を取り消す」８０９を選択することで登録を取り消すことも可能である。登録されたデータは、表示色を変えて判別ができるようにしてもよい。
【００４５】
常時表示データとして登録されたデータと、抽出したデータとを混在して表示する方法について説明する。まず、前述したように、所定の抽出条件に従って検査データを抽出する。抽出した後に、常時表示データと抽出データとを合わせて時系列に並べて表示する。表示数を超える場合には、常時表示データの検査日に最も近い検査日の抽出データを除外し、その抽出データを常時表示データに替えることにより表示させる。これにより、キーとなるデータを見ながら長期に渡った経過観察が可能となる。
【００４６】
＜その他の実施例＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４７】
１１：検査データ取得部
１２：検査リスト作成部
１３：経過観察用データ抽出部
１４：操作入力手段
１５：検査リスト表示部
１６：記憶部
１７：経過観察データ表示部
【図１】
2020044418.tif 000003
【図２】
2020044418.tif 000004
【図３】
2020044418.tif 000005
【図４】
2020044418.tif 000006
【図５】
2020044418.tif 000007
【図６】
2020044418.tif 000008
【図７】
2020044418.tif 000009
【図８】
2020044418.tif 000010
【図９】
2020044418.tif 000011
【図１０】
2020044418.tif 000012
【手続補正書】
【提出日】令和2年1月21日(2020.1.21)
【手続補正１】
【補正対象書類名】特許請求の範囲
【補正対象項目名】全文
【補正方法】変更
【補正の内容】
【特許請求の範囲】
【請求項１】
ＯＣＴによって異なる検査日に得られた眼部の複数の断層画像をそれぞれ解析することで得られた複数の検査データの中から所定の抽出条件で抽出された所定数の検査データに対応する複数の解析マップを時系列に並べて表示部に表示させ、前記所定数の検査データを含む前記複数の検査データに対応する複数のポイントが時系列に並べられたグラフを前記表示部に表示させ、ユーザからの指示に応じて、前記表示される複数の解析マップの少なくとも１つの表示を、他の検査日の検査データに対応する解析マップの表示に変更する表示制御を実行し、ユーザからの指示に応じて、該指示の際に表示されている複数の解析マップを含むデータをレポート形式で出力する制御手段を備える情報処理装置。
【請求項２】
複数の抽出条件のいずれかを前記所定の抽出条件として、ユーザからの指示に応じて選択可能に構成されている請求項１に記載の情報処理装置。
【請求項３】
前記複数の抽出条件は、最新の検査日から直近の所定数の検査データを前記所定数の検査データとして抽出する条件、最初の検査日から最新の検査日までの検査期間を等期間に分割する検査日に近い検査日に取得された所定数の検査データを前記所定数の検査データとして抽出する条件、および予め個別の間隔で設定されている検査日に近い検査日に取得された所定数の検査データを前記所定数の検査データとして抽出する条件を含む請求項２に記載の情報処理装置。
【請求項４】
前記所定の抽出条件で前記所定数の検査データが抽出された後に、前記所定の抽出条件を他の抽出条件に、ユーザからの指示に応じて変更可能に構成され、
前記制御手段は、前記所定数の検査データの表示を、前記複数の検査データの中から前記他の抽出条件で抽出された所定数の他の検査データの表示に変更する表示制御を実行する請求項１乃至３のいずれか１項に記載の情報処理装置。
【請求項５】
前記所定数の検査データが抽出された後に、前記表示部に表示された前記複数の解析マップの少なくとも１つを、抽出されていない検査データに対応する解析マップに変更するためのユーザからの指示を受け付ける手段を更に備え、
前記制御手段は、前記受け付けた指示に応じて、前記変更された解析マップを前記表示部に表示させる請求項１乃至４のいずれか１項に記載の情報処理装置。
【請求項６】
前記制御手段は、前記表示部に常時表示する解析マップが新たに選択されると、前記新たに選択された解析マップを常時表示する解析マップとして判別可能に前記表示部に表示させる請求項１乃至５のいずれか１項に記載の情報処理装置。
【請求項７】
最新の検査日から直近の検査日までの期間の内の所定期間の範囲を設定する設定手段を更に備え、
前記設定された所定期間に取得された検査データの中から、前記所定数の検査データを抽出可能に構成される請求項１乃至６のいずれか１項に記載の情報処理装置。
【請求項８】
前記所定の抽出条件が、デフォルトとして設定された抽出条件である請求項１乃至７のいずれか１項に記載の情報処理装置。
【請求項９】
前記制御手段は、前記複数のポイントのいずれかに対するユーザからの指示に応じて、前記表示される複数の解析マップの少なくとも１つの表示を、他の検査日の検査データに対応する解析マップの表示に変更する表示制御を実行する請求項１乃至８のいずれか１項に記載の情報処理装置。
【請求項１０】
前記制御手段は、表示されるスライドバーに対するユーザからの指示に応じて、前記表示される複数の解析マップの少なくとも１つの表示を、他の検査日の検査データに対応する解析マップの表示に変更する表示制御を実行する請求項１乃至９のいずれか１項に記載の情報処理装置。
【請求項１１】
前記制御手段は、前記グラフを、前記複数の解析マップが並べて表示される表示エリアとは異なる表示エリアに表示させる請求項１乃至１０のいずれか１項に記載の情報処理装置。
【請求項１２】
前記制御手段は、前記所定数の検査データに対応する複数の解析マップを時系列に左右方向に並べて前記表示部に表示させ、前記所定数の検査データから選択された基準検査データに対応する解析マップを前記複数の解析マップの表示エリアの左右方向における左端に表示させる請求項１乃至１１のいずれか１項に記載の情報処理装置。
【請求項１３】
前記制御手段は、ユーザからの指示に応じて、該指示の際に表示されている複数の解析マップを含むデータを所定のフォーマットのレポートとして出力することにより、前記レポート形式で出力する請求項１乃至１２のいずれか１項に記載の情報処理装置。
【請求項１４】
ＯＣＴによって異なる検査日に得られた眼部の複数の断層画像をそれぞれ解析することで得られた複数の検査データの中から所定の抽出条件で抽出された所定数の検査データに対応する複数の解析マップを時系列に並べて表示部に表示させ、前記所定数の検査データを含む前記複数の検査データに対応する複数のポイントが時系列に並べられたグラフを前記表示部に表示させ、ユーザからの指示に応じて、前記表示される複数の解析マップの少なくとも１つの表示を、他の検査日の検査データに対応する解析マップの表示に変更する表示制御を実行し、ユーザからの指示に応じて、該指示の際に表示されている複数の解析マップを含むデータをレポート形式で出力する工程を含む情報処理方法。
【請求項１５】
請求項１４に記載の情報処理方法をコンピュータに実行させるプログラム。
【手続補正２】
【補正対象書類名】明細書
【補正対象項目名】０００５
【補正方法】変更
【補正の内容】
【０００５】
上記課題を解決するため、本発明の一態様に係る情報処理装置は、
ＯＣＴによって異なる検査日に得られた眼部の複数の断層画像をそれぞれ解析することで得られた複数の検査データの中から所定の抽出条件で抽出された所定数の検査データに対応する複数の解析マップを時系列に並べて表示部に表示させ、前記所定数の検査データを含む前記複数の検査データに対応する複数のポイントが時系列に並べられたグラフを前記表示部に表示させ、ユーザからの指示に応じて、前記表示される複数の解析マップの少なくとも１つの表示を、他の検査日の検査データに対応する解析マップの表示に変更する表示制御を実行し、ユーザからの指示に応じて、該指示の際に表示されている複数の解析マップを含むデータをレポート形式で出力する制御手段を備える。